(57)【要約】【課題】多量の運搬物を落とさずに素早く効率的に運搬することができる運搬台車を提供する。【解決手段】台車本体２が、被運搬物を載せて移動可能に、底部に前輪２ｆおよび後輪２ｇを有している。連結手段３が、台車本体２の先端部に設けられた係合部３ａと、後端部に設けられた係合受け部３ｂとを有している。連結手段３は、台車本体２を進行方向に複数並べたとき、隣接する台車本体２の係合受け部３ｂに係合部３ａが係合するよう構成されている。【選択図】図１
0003179007.tif 000002
【実用新案登録請求の範囲】
【請求項１】
被運搬物を載せて移動可能に、底部に車輪を有する台車本体と、
前記台車本体を進行方向に複数並べて連結可能に設けられた連結手段とを、
有することを特徴とする運搬台車。
【請求項２】
前記連結手段は、前記台車本体の進行方向の先端部および後端部の一方に設けられた係合受け部と、前記台車本体を進行方向に複数並べたとき、隣接する台車本体の係合受け部に係合可能に、前記先端部および前記後端部の他方に設けられた係合部とを有することを特徴とする請求項１記載の運搬台車。
【考案の詳細な説明】
【技術分野】
【０００１】
本考案は、運搬台車に関する。
【背景技術】
【０００２】
従来、パチンコ店などでパチンコ玉を運搬するのに使用される運搬台車として、上面側に開口したプール状収容空間が形成された、移動可能な台車本体を有するものがある（例えば、特許文献１参照）。この運搬台車は、プール状収容空間にパチンコ玉を収納したり、プール状収容空間にパチンコ玉が収納されたパチンコ玉箱を積み重ねたりして、パチンコ玉を運搬することができる。
【先行技術文献】
【特許文献】
【０００３】
【特許文献１】実用新案登録第３１２１２０２号公報
【考案の概要】
【考案が解決しようとする課題】
【０００４】
しかしながら、特許文献１に記載の運搬台車は、プール状収容空間にパチンコ玉などの運搬物を収納する場合には、一度に運ぶことができる運搬物の量が限られてしまうため、一度に多量の運搬物を運ぶことはできないという課題があった。運搬物を収納したパチンコ玉箱などの運搬箱をプール状収容空間に積み重ねる場合には、運搬箱を持ち上げて積み重ねるときに運搬物を落とす危険性があるという課題があった。また、運搬物を落とさないようにするためには、慎重に運搬箱を持ち上げて積み重ねる必要があり、作業に手間がかかるという課題があった。
【０００５】
本考案は、このような課題に着目してなされたもので、多量の運搬物を落とさずに素早く効率的に運搬することができる運搬台車を提供することを目的とする。
【課題を解決するための手段】
【０００６】
上記目的を達成するために、本考案に係る運搬台車は、被運搬物を載せて移動可能に、底部に車輪を有する台車本体と、前記台車本体を進行方向に複数並べて連結可能に設けられた連結手段とを、有することを特徴とする。
【０００７】
本考案に係る運搬台車は、パチンコ玉などの運搬物を収納した台車本体や、運搬物が収納されたパチンコ玉箱などの運搬箱を載せた台車本体を、進行方向に複数並べて連結手段で連結することにより、一度に多量の運搬物を運搬することができる。このため、多量の運搬物を運搬するために運搬箱を積み重ねる必要がなく、積み重ね作業でパチンコ玉などの運搬物が落ちるのを防ぐことができる。また、簡単な台車本体の連結作業だけでよく、慎重さが要求される積み重ね作業が不要なため、素早く効率的に運搬することができる。
【０００８】
本考案に係る運搬台車で、前記連結手段は、前記台車本体の進行方向の先端部および後端部の一方に設けられた係合受け部と、前記台車本体を進行方向に複数並べたとき、隣接する台車本体の係合受け部に係合可能に、前記先端部および前記後端部の他方に設けられた係合部とを有していてもよい。この場合、係合部と係合受け部とを係合させることにより、複数の台車本体を容易に連結させることができる。連結手段は、例えば、係合部がフックや掛け金等から成っていてもよく、係合部および係合受け部が互いに着脱可能な磁石や面ファスナー等から成っていてもよい。
【０００９】
また、本考案に係る運搬台車で、前記連結手段は、前記台車本体を進行方向に複数並べたとき、隣り合う台車本体に架け渡して連結するよう設けられた連結部材を有していてもよい。この場合、複数の台車本体を進行方向に並べて、隣り合う台車本体に連結部材を架け渡すことにより、容易に連結させることができる。連結部材は、例えば、クリップ状の部材等から成っていてもよい。
【考案の効果】
【００１０】
本考案によれば、多量の運搬物を落とさずに素早く効率的に運搬することができる運搬台車を提供することができる。
【図面の簡単な説明】
【００１１】
【図１】本考案の第１の実施の形態の運搬台車を示す（ａ）平面図、（ｂ）側面図、（ｃ）複数を連結したときの連結部を示す拡大側面図である。
【図２】本考案の第２の実施の形態の運搬台車を示す（ａ）平面図、（ｂ）側面図、（ｃ）複数を連結したときの連結部を示す拡大側面図である。
【考案を実施するための形態】
【００１２】
以下、図面に基づき本考案の実施の形態について説明する。
図１は、本考案の第１の実施の形態の運搬台車を示している。
図１に示すように、運搬台車１は、台車本体２と連結手段３とを有している。
【００１３】
図１に示すように、台車本体２は、平面形状が矩形で、厚みが薄い直方体形状を成し、上面が被運搬物を載せるための載置面２ａを成している。台車本体２は、載置面２ａの前方端縁および後方端縁に沿って、それぞれ載置面２ａから上方に突出した前方縁部２ｂおよび後方縁部２ｃを有している。台車本体２は、幅方向に沿った前方縁部２ｂの中心位置に、前方縁部２ｂを載置面２ａと同じ高さまで切り欠いて形成された前方凹部２ｄを有している。また、台車本体２は、幅方向に沿った後方縁部２ｃの中心位置に、後方縁部２ｃを載置面２ａと同じ高さまで切り欠いて形成された後方凹部２ｅを有している。台車本体２は、底部に１対の前輪２ｆと１対の後輪２ｇとを有し、移動可能に構成されている。
【００１４】
連結手段３は、台車本体２の前方凹部２ｄに設けられた係合部３ａと、後方凹部２ｅに設けられた係合受け部３ｂとを有している。係合部３ａは、細長く、先端３ｃが垂直方向に突出して鉤状に形成されている。係合部３ａは、台車本体２の幅方向に沿った軸を中心として回転可能に、後端が前方凹部２ｄに取り付けられている。係合部３ａは、常態で前方凹部２ｄに収納され、連結させる時に回転させて台車本体２の前方水平に突出可能に構成されている。係合部３ａは、台車本体２の前方に突出させたとき、鉤状の先端３ｃが下方に突出するよう構成されている。また、係合部３ａは、鉤状の先端３ｃに、磁石が内蔵されている。
【００１５】
係合受け部３ｂは、後方凹部２ｅの後端縁に沿って、載置面２ａから上方に突出して設けられている。図１（ｃ）に示すように、係合受け部３ｂは、複数の台車本体２を進行方向に並べ、隣接する台車本体２の係合部３ａを回転して突出させたとき、その係合部３ａの鉤状の先端３ｃが引っ掛かるよう構成されている。また、係合受け部３ｂは、係合部３ａの先端３ｃが引っ掛かったときに外れにくくなるよう、係合部３ａの磁石と引き合う磁石が内蔵されている。
【００１６】
次に、作用について説明する。
運搬台車１は、図１（ｃ）に示すように、係合部３ａと係合受け部３ｂとを係合させることにより、複数の台車本体２を容易に連結させることができる。このため、パチンコ玉などの運搬物を収納した台車本体２や、運搬物が収納されたパチンコ玉箱などの運搬箱を載せた台車本体２を、進行方向に複数並べて連結手段３で連結することにより、一度に多量の運搬物を運搬することができる。このため、多量の運搬物を運搬するために運搬箱を積み重ねる必要がなく、積み重ね作業でパチンコ玉などの運搬物が落ちるのを防ぐことができる。また、簡単な台車本体２の連結作業だけでよく、慎重さが要求される積み重ね作業が不要なため、素早く効率的に運搬することができる。
【００１７】
図２は、本考案の第２の実施の形態の運搬台車を示している。
図２に示すように、運搬台車１１は、台車本体１２と連結手段１３とを有している。
図２に示すように、台車本体１２は、平面形状が矩形で、厚みが薄い直方体形状を成し、上面が被運搬物を載せるための載置面１２ａを成している。台車本体１２は、載置面１２ａの前方端縁および後方端縁の両端に、それぞれ載置面１２ａから上方に突出して設けられた１対の前方隅部１２ｂおよび１対の後方隅部１２ｃを有している。台車本体１２は、各前方隅部１２ｂの間の載置面１２ａに、前方端縁に沿って載置面１２ａから突出して設けられた前方突条部１２ｄを有している。また、台車本体１２は、各後方隅部１２ｃの間の載置面１２ａに、後方端縁に沿って載置面１２ａから突出して設けられた後方突条部１２ｅを有している。台車本体２は、底部に１対の前輪１２ｆと１対の後輪１２ｇとを有し、移動可能に構成されている。
【００１８】
連結手段１３は、弾性を有する素材で形成された、クリップ状の部材から成っている。図２（ｃ）に示すように、連結手段１３は、複数の台車本体１２を進行方向に並べたとき、隣り合う台車本体１２の前方突条部１２ｄと後方突条部１２ｅとを挟むようにして架け渡し、各台車本体１２を連結するよう構成されている。連結手段１３は、前方突条部１２ｄと後方突条部１２ｅとを挟んだときに外れにくくなるよう、挟んだときの幅よりもやや狭い幅で形成されている。
【００１９】
次に、作用について説明する。
運搬台車１１は、図２（ｃ）に示すように、連結手段１３で隣り合う台車本体１２の前方突条部１２ｄと後方突条部１２ｅとを挟むことにより、複数の台車本体１２を容易に連結させることができる。このため、パチンコ玉などの運搬物を収納した台車本体１２や、運搬物が収納されたパチンコ玉箱などの運搬箱を載せた台車本体１２を、進行方向に複数並べて連結手段１３で連結することにより、一度に多量の運搬物を運搬することができる。このため、多量の運搬物を運搬するために運搬箱を積み重ねる必要がなく、積み重ね作業でパチンコ玉などの運搬物が落ちるのを防ぐことができる。また、簡単な台車本体１２の連結作業だけでよく、慎重さが要求される積み重ね作業が不要なため、素早く効率的に運搬することができる。
【符号の説明】
【００２０】
１  運搬台車
２  台車本体
２ａ  載置面
２ｂ  前方縁部
２ｃ  後方縁部
２ｄ  前方凹部
２ｅ  後方凹部
２ｆ  前輪
２ｇ  後輪
３  連結手段
３ａ  係合部
３ｂ  係合受け部
３ｃ  先端
【図１】
0003179007.tif 000003
【図２】
0003179007.tif 000004